(57)【要約】【課題】角形鋼管からなるコラム切梁に親綱支柱を容易にかつ強固に取り付けられるようにしたコラム切梁用親綱支柱の取付け構造を提供する。【解決手段】角形鋼管からなるコラム切梁１の側部に親綱支柱３を取り付ける。コラム切梁１の材軸方向に対して、その側部に親綱支柱取り付け用ブラケット２を突設する。ブラケット２は、コラム切梁１の軸直角方向に長い矩形板状に形成する。また、コラム切梁１の上に溶接することにより取り付ける。親綱支柱３の下端部にクランプ６を取り付ける。クランプ６でブラケット２を挟み込むことにより親綱支柱３を立て付ける。【選択図】図２
0003204834.tif 000002
【実用新案登録請求の範囲】
【請求項１】
角形鋼管からなるコラム切梁の側部に親綱支柱を取り付けるためのコラム切梁用親綱支柱の取付け構造において、前記コラム切梁の材軸方向に対して、その側部に前記コラム切梁の軸直角方向に突設された親綱支柱取り付け用ブラケットと、前記親綱支柱に取り付けられ、前記ブラケットに固定された親綱支柱固定金具とから構成されてなることを特徴とするコラム切梁用親綱支柱の取付け構造。
【請求項２】
請求項１記載のコラム切梁用親綱支柱の取付け構造において、前記親綱支柱取付け用ブラケットは、前記コラム切梁の軸直角方向に長い矩形板状に形成され、かつ前記コラム切梁の上に溶接することにより取り付けられてなることを特徴とするコラム切梁用親綱支柱の取付け構造。
【請求項３】
請求項１記載のコラム切梁用親綱支柱の取付け構造において、前記親綱支柱取付け用ブラケットは、前記コラム切梁の軸直角方向に長い矩形板状に形成され、かつ前記コラム切梁の上に固定バンドと固定ボルトによって脱着自在に取り付けられていることを特徴とするコラム切梁用親綱支柱の取付け構造。
【請求項４】
請求項１記載のコラム切梁用親綱支柱の取付け構造において、前記親綱支柱取付け用ブラケットは、アングルピースより形成され、かつ前記コラム切梁の側部に溶接することにより取り付けられていることを特徴とするコラム切梁のコラム切梁用親綱支柱の取付け構造。
【考案の詳細な説明】
【技術分野】
【０００１】
本考案は、角形鋼管からなるコラム切梁に親綱支柱(スタンション)を取り付けるためのコラム切梁用親綱支柱の取付け構造に関し、角形鋼管からなるコラム切梁に親綱支柱を容易にかつ強固に取り付けられるようにしたものである。
【背景技術】
【０００２】
山留め壁を支える山留め材のうち、特に山留め壁の内側に設置される腹起しや腹起しを直角に支持する切梁には主としてＨ形鋼からなる山留め材が使用される。
【０００３】
Ｈ形鋼からなる山留め材は、曲げや圧縮に対する断面性能に優れ、しかもどの位置にもボルトの装着が可能なようにフランジの全長にボルト孔が形成されている。
【０００４】
また特に、切梁に親綱支柱を設置する場合でも、図5(a),(b)に図示するように、切梁20のフランジ20aの縁端部をクランプ22によって挟み込む等の方法によって、親綱支柱21は切梁20に容易に設置することができて利便性に優れている。
【０００５】
しかし、Ｈ形鋼には断面の性能上、曲げに強い強軸と曲げに弱い弱軸があるため、Ｈ形鋼からなる山留め材を腹起しや切梁として設置する際は向きに注意する必要がる。また、切梁については中間杭を配置して座屈長さを短くし、仕口部は火打ち梁によって補強する必要がある。
【０００６】
また、切梁として角形鋼管からなるコラム切梁などを使用することもある。コラム切梁はＨ形鋼にあるような上記した断面の性能上の問題はないため、向きに注意することなく設置することができ、また中間杭や火打ち梁による補強も原則不要である。
【先行技術文献】
【特許文献】
【０００７】
【特許文献１】特開平04-68113号公報
【特許文献２】特開平04-68114号公報
【考案の概要】
【考案が解決しようとする課題】
【０００８】
しかし、コラム切梁は、Ｈ形鋼からなる切梁のようにクランプ等の取付け金具を使って親綱支柱を設置できないという課題があった。
【０００９】
本考案は、以上の課題を解決するためになされたもので、親綱支柱をクランプ等の取付け金具を使って容易にかつ強固に取り付けおよび取り外しできるようにしたコラム切梁用親綱支柱の取付け構造を提供することを目的とするものである。
【課題を解決するための手段】
【００１０】
本考案は、角形鋼管からなるコラム切梁の側部に親綱支柱を取り付けるためのコラム切梁用親綱支柱の取付け構造の考案であり、前記コラム切梁の材軸方向に対して、その側部に前記コラム切梁の軸直角方向に突設された親綱支柱取り付け用ブラケットと前記親綱支柱に取り付けられ、前記ブラケットに固定された親綱支柱固定金具とから構成されてなることを特徴とするものである。
【００１１】
親綱支柱取付け用ブラケットとしては、例えば、図2(a),(b)に図示するように、矩形板状のプレートをコラム切梁の上にコラム切梁の軸直角方向に溶接し、当該プレートの端部に親綱支柱をクランプ等によって脱着自在に取り付けられようにしたもの、或いは図4(a),(b)に図示するようにコラム切梁の側部にアングルピースを溶接し、当該アングルピースの端部に親綱支柱をクランプ等によって脱着自在に取り付けられようにしたもの等であればよい。
【００１２】
また、固定金具としては、例えば、図2(a),(b)に図示するように、前記親綱支柱用ブラケットの端部を強く挟持するように構成されたクランプ、または前記ブラケットに形成された貫通孔に固定ナットで固定するように構成されたアンカーボルト、さらには前記ブラケットに形成された貫通孔に単に差し込んで固定するように構成されたロッド等であればよい。いずれも脱着自在に取り付けられるように構成することができる。
【考案の効果】
【００１３】
本考案は、角形鋼管からなるコラム切梁の側部に親綱支柱を取り付けるためのコラム切梁用親綱支柱の取付け構造の考案であり、前記コラム切梁の材軸方向に対して、その側部に取り付けられた親綱支柱取り付け用ブラケットと前記親綱支柱の下端部に取り付けられ、前記ブラケットに固定される親綱支柱固定金具を備えていることで、コラム切梁の側部に親綱支柱をクランプやアンカーボルト等の固定金具によって容易にかつ強固に取り付けることができる。
【図面の簡単な説明】
【００１４】
【図１】親綱支柱が取り付けられたコラム切梁を図示したものであり、図1(a)は平面図、図1(b)は側面図、図1(c)は端面図である。
【図２】プレートからなるブラケットに親綱支柱がクランプによって取り付けられている実施形態を図示したものであり、図2(a)はコラム切場の軸直角方向の断面図、図2(b)はコラム切梁の一部平面図である。
【図３】脱着自在に取り付けられた、プレートからなるブラケットに親綱支柱がクランプによって取り付けられている実施形態を図示したものであり、図3(a)はコラム切梁の軸直角方向の断面図、図3(b)はコラム切梁の一部平面図である。
【図４】アングルピースからなるブラケットに、親綱支柱がクランプによって取り付けられている実施形態を図示したものであり、コラム切梁の軸直角方向の断面図である。
【図５】Ｈ形鋼からなる切梁に親綱支柱が取り付けられた従来例を図示したものであり、図5(a)は斜視図、図5(b)は断面図である。
【考案を実施するための形態】
【００１５】
図1〜４は、本考案の一実施形態を図示したものであり、角形鋼管からなるコラム切梁１の材軸方向に対して、その両側部に親綱支柱取付用ブラケット(以下「ブラケット」)２が水平に突設され、当該ブラケット２の端部2aに親綱支柱(スタンション)３が取り付けられている。
【００１６】
ブラケット２はコラム切梁１の軸直角方向に長い矩形板状のプレートから形成され、かつ長辺方向の両端部2a,2aを、コラム切梁１の両側に水平に突出させた状態でコラム切梁１の上に溶接することにより取り付けられている。また、ブラケット２は、コラム切梁１の材軸方向に間隔をおいて複数取り付けられている。
【００１７】
なお、図3(a),(b)に図示するように、ブラケット２を固定バンド４と固定ボルト５によって脱着自在に取り付けられるようにしてもよい。この場合、ブラケット２は、固定バンド４をコラム切梁１に下から上側に巻き付け、その両端部をブラケット２の両端部に固定ボルト５でボルト止めすることにより脱着自在に取り付けられている。
【００１８】
親綱支柱３は、下端部にブラケット２の端部2aを挟持するように構成されたクランプ６を有し、また、上端部に親綱７を連結するための親綱フック８を備えている。
【００１９】
クランプ６は、ブラケット２側に開口する溝状に形成されたクランプ本体6aと、ブラケット本体6aの上側から下方に鉛直に締め付けられるように取り付けられた締付けボルト6bより構成されている。
【００２０】
そして、クランプ本体6aと締付けボルト6bによってブラケット２の端部2aを強く挟み込むことにより、親綱支柱３はコラム切梁１の上に脱着自在に立て付けられている。
【００２１】
なお、親綱支柱３の下端部にクランプ６の代わりにアンカーボルト(図省略)を鉛直に突設し、当該アンカーボルトをブラケット２の端部2aに形成された貫通孔(図省略)に貫通させ、かつその先端に固定ナット(図省略)で締め付けて、親綱支柱３をブラケット２に立て付けられるようにしてもよい。
【００２２】
また、親綱支柱３の下端部に突設したロッド(図省略)をブラケット２の端部2aに形成された貫通孔(図省略)に単に差し込んで立て付けられるようにしてもよい。
【００２３】
図４は、コラム切梁１の側部にアングルピースからなるブラケットを取り付け、これに親綱支柱３をクランプ６によって立て付けられている実施形態を図示したものである。この場合のブラケット２はコラム切梁１の側部に溶接によって取り付けられている。
【産業上の利用可能性】
【００２４】
本考案は、コラム切梁の側部に親綱支柱をクランプ等の取付け金具によって容易にかつ強固に立て付けることができる。
【符号の説明】
【００２５】
１  コラム切梁
２  ブラケット(親綱支柱取付け用ブラケット)
３親綱支柱
４  固定バンド
５  固定ボルト
６  クランプ
6a  クランプ本体
6b  締付けボルト
７  親綱
８  親綱フック
【図１】
0003204834.tif 000003
【図２】
0003204834.tif 000004
【図３】
0003204834.tif 000005
【図４】
0003204834.tif 000006
【図５】
0003204834.tif 000007